(57)【要約】【目的】  広い設置空間を設けることなく設置空間内への遊技機の設置を可能にすると共に遊技機の取り付け及び取り外しの作業性を高めることができる遊技機固定装置を提供する。【解決手段】  遊技機を設置空間１０内に設置する場合、外枠９の支持を解除する退行位置にスライド支持部材３５を移動させた状態で、外枠９を設置空間１０に対して前方から水平方向に挿入する。そして、外枠９の下辺裏面を前方へ押圧するようにスライド押込板２４をスライド移動させる。これに伴い、連動スライド板３３がスライド支持部材３５を進出位置に移動させてスライド支持部材３５とスライド押込板２４との間で外枠９を挟持固定する。これにより、広い設置空間１０を設けることなく設置空間１０内への遊技機の設置が可能になると共に、遊技機の取り付け及び取り外しの作業性を高めることができる。【選択図】        図５
2011218030.tif 000002
【特許請求の範囲】
【請求項１】
遊技島台に設けられる上部島枠と下部島枠との間に形成される設置空間に遊技機の外枠を固定する遊技機固定装置において、
前記遊技機固定装置は、
前記外枠の下辺部分又は上辺部分の前面を支持する進出位置と当該支持を解除する退行位置との間で進退移動が可能に設けられる支持部材と、
前記外枠の下辺部分又は上辺部分の裏面に対する前方への押圧及びその押圧解除が可能なように前記下部島枠の上方又は前記上部島枠の下方にスライド移動可能に取り付けられて、前記支持部材との間で前記外枠を挟持する押圧挟持部材と、
前記外枠を押圧する方向への前記押圧挟持部材のスライド移動に伴って前記支持部材を進出方向に連動する一方、前記外枠の押圧を解除する方向への前記押圧挟持部材のスライド移動に伴って前記支持部材を退行方向に連動する連動手段と、を備え、
前記外枠は、前記支持部材が前記退行位置へ移動した状態で前記設置空間に対して前方から水平方向に着脱可能となることを特徴とする遊技機固定装置。
【請求項２】
前記支持部材は、上下方向に進退移動可能に設けられ、
前記連動手段は、前記押圧挟持部材の水平方向でのスライド移動を前記支持部材の上下方向への進退移動に方向変換する機能を備えることを特徴とする請求項１記載の遊技機固定装置。
【請求項３】
前記連動手段は、前記押圧挟持部材に一体的に設けられて当該押圧挟持部材と一体的にスライド移動すると共に、前記支持部材に一体的に設けられた第一の係合傾斜面と当接係合する第二の係合傾斜面を備えたスライド連動部材から構成され、
前記スライド連動部材は、前記押圧挟持部材のスライド移動に伴って、前記第二の係合傾斜面が前記第一の係合傾斜面の押し込み又はその押し込み解除を行うことで、前記押圧挟持部材のスライド移動を前記支持部材の進退移動に方向変換することを特徴とする請求項２記載の遊技機固定装置。
【請求項４】
前記連動手段は、支軸を中心として回転可能に設けられると共に、前記支軸を中心とした回転一端に前記押圧挟持部材と係合する係合部を備えた回転連動部材から構成され、
前記回転連動部材は、前記押圧挟持部材のスライド移動に伴って、前記係合部が前記押圧挟持部材との係合又はその係合解除を行うことで、前記支軸を中心に回転することを特徴とする請求項２記載の遊技機固定装置。
【請求項５】
前記支持部材は、前記回転連動部材の前記支軸を中心とした回転他端に上方に折曲して設けられた折曲支持部から構成され、
前記回転連動部材は、前記押圧挟持部材のスライド移動に伴って、前記支軸を中心として前記折曲支持部を上昇させる方向又は下降させる方向に回転することで、前記押圧挟持部材のスライド移動を前記支持部材の進退移動に方向変換することを特徴とする請求項４記載の遊技機固定装置。
【請求項６】
前記回転連動部材の前記支軸を中心とした回転他端には、前記支持部材に一体的に設けられた支持傾斜面と当接係合する連動傾斜面が設けられ、
前記回転連動部材は、前記押圧挟持部材のスライド移動に伴って前記支軸を中心に回転して、前記連動傾斜面が前記支持傾斜面の押し上げ又はその押し上げ解除を行うことで、前記押圧挟持部材のスライド移動を前記支持部材の進退移動に方向変換することを特徴とする請求項４記載の遊技機固定装置。
【請求項７】
前記遊技機固定装置は、さらに、前記支持部材を常時、退行方向へ付勢する付勢手段を備えていることを特徴とする請求項１乃至請求項６のいずれかに記載の遊技機固定装置。
【発明の詳細な説明】
【技術分野】
【０００１】
本発明は、遊技島台に設けられる上部島枠と下部島枠との間に形成される設置空間に遊技機の外枠を固定する遊技機固定装置に関するものである。
【背景技術】
【０００２】
従来、一般に、遊技島台に列設されるパチンコ機等の遊技機は、遊技島台に設けられる長尺板状の上部島枠と下部島枠との間に形成される設置空間に設置され、この上部又は下部の島枠と遊技機を構成する木製の外枠との間で釘が打ち込まれることにより、前後方向への傾斜角度（所謂「ねかせ角度」）を付けて遊技島台に固定されるようになっていた。ところが、近年では、遊技機を機種交換するサイクルが短くなったことで、遊技機の外枠との間で島枠に釘を打ち込む機会が増加しており、島枠には、釘打ちによって生じた無数の穴が残るようになっていた。このため、新しく遊技機を入れ替えようとしても、島枠に無数の穴が残った状態となり、このような無数の穴が邪魔をして、遊技機を正確に島枠に固定することができないという問題が生じていた。
そこで、島枠を遊技機の外枠との間で釘打ちすることなく、遊技機を固定するようにしたもの（例えば、特許文献１及び特許文献２）が提案されている。特許文献１に記載の構成は、上部島枠と下部島枠との間で一側端が回転自在に軸支された回動ブラケットを備え、この回動ブラケットにスライド装着された外枠の上辺部分及び下辺部分をそれぞれ上固定ネジ及び下固定ネジによって固定するようになっている。特許文献２に記載の構成は、後端側に背面支持部材を備える一方で前端側に軸を中心として回動可能な掛け爪を備えた上部取付け装置が上部島枠の下面に取り付けられ、外枠の上辺裏面を背面支持部材で支持し、この状態から掛け爪を回動して外枠の上辺前面を係止することで、掛け爪と背面支持部材との間で外枠の上辺部分を挟持固定するようになっている。
【先行技術文献】
【特許文献】
【０００３】
【特許文献１】特開２００２−１３６７５５号公報（図６、図９）
【特許文献２】特開２００４−８１７６２号公報（図１０、図１１）
【発明の概要】
【発明が解決しようとする課題】
【０００４】
ところが、上記特許文献１の構成によれば、外枠をスライド装着する回動ブラケットの一側端を回転自在に軸支して取り付けることで、軸支側の側方には、回転用として無駄なスペースを設ける必要がある。然も、このような構成において、各遊技機（外枠）間に玉貸機を配置するような場合には、回動ブラケットを開放する際に回動ブラケットの軸支側の側端部分が玉貸機にあたって遊技機の取り付け作業あるいは取り外し作業の邪魔になり、作業性を低下させるという問題が生じる。
一方、上記特許文献２の構成によれば、上部取付け装置によって外枠を固定する場合、外枠の上辺裏面側を下方に傾けながら外枠を設置空間内に挿入し、その後、外枠の上辺裏面を背面支持部材で支持した状態から外枠を起立させることによって掛け爪を回動させて外枠の上辺前面を係止するようになっている。このため、上部島枠の下方には、上部取付け装置を取り付けるスペースに加えて、傾斜状態の外枠をその場で起立させて設置空間内に設置し得るだけのスペースを設ける必要がある。従って、上部島枠の高さ位置が遊技機（外枠）の高さ寸法よりも若干高い位置に設けられた既存の遊技島台においては、上部取付け装置を取り付けるスペースに加えて傾斜状態の外枠をその場で起立させるだけのスペースが上部島枠の下方に設けられていないため、上部取付け装置を採用して遊技機を固定することができない。
本発明は、上記した事情に鑑みなされたもので、その目的とするところは、広い設置空間を設けることなく設置空間内への遊技機の設置を可能にすると共に遊技機の取り付け及び取り外しの作業性を高めることができる遊技機固定装置を提供することにある。
【課題を解決するための手段】
【０００５】
上記した目的を達成するために、請求項１の発明においては、遊技島台に設けられる上部島枠と下部島枠との間に形成される設置空間に遊技機の外枠を固定する遊技機固定装置において、前記遊技機固定装置は、前記外枠の下辺部分又は上辺部分の前面を支持する進出位置と当該支持を解除する退行位置との間で進退移動が可能に設けられる支持部材と、前記外枠の下辺部分又は上辺部分の裏面に対する前方への押圧及びその押圧解除が可能なように前記下部島枠の上方又は前記上部島枠の下方にスライド移動可能に取り付けられて、前記支持部材との間で前記外枠を挟持する押圧挟持部材と、前記外枠を押圧する方向への前記押圧挟持部材のスライド移動に伴って前記支持部材を進出方向に連動する一方、前記外枠の押圧を解除する方向への前記押圧挟持部材のスライド移動に伴って前記支持部材を退行方向に連動する連動手段と、を備え、前記外枠は、前記支持部材が前記退行位置へ移動した状態で前記設置空間に対して前方から水平方向に着脱可能となることを特徴とする。
【０００６】
また、請求項２の発明においては、請求項１記載の遊技機固定装置において、前記支持部材は、上下方向に進退移動可能に設けられ、前記連動手段は、前記押圧挟持部材の水平方向でのスライド移動を前記支持部材の上下方向への進退移動に方向変換する機能を備えることを特徴とする。
【０００７】
また、請求項３の発明においては、請求項２記載の遊技機固定装置において、前記連動手段は、前記押圧挟持部材に一体的に設けられて当該押圧挟持部材と一体的にスライド移動すると共に、前記支持部材に一体的に設けられた第一の係合傾斜面と当接係合する第二の係合傾斜面を備えたスライド連動部材から構成され、前記スライド連動部材は、前記押圧挟持部材のスライド移動に伴って、前記第二の係合傾斜面が前記第一の係合傾斜面の押し込み又はその押し込み解除を行うことで、前記押圧挟持部材のスライド移動を前記支持部材の進退移動に方向変換することを特徴とする。
【０００８】
また、請求項４の発明においては、請求項２記載の遊技機固定装置において、前記連動手段は、支軸を中心として回転可能に設けられると共に、前記支軸を中心とした回転一端に前記押圧挟持部材と係合する係合部を備えた回転連動部材から構成され、前記回転連動部材は、前記押圧挟持部材のスライド移動に伴って、前記係合部が前記押圧挟持部材との係合又はその係合解除を行うことで、前記支軸を中心に回転することを特徴とする。
【０００９】
また、請求項５の発明においては、請求項４記載の遊技機固定装置において、前記支持部材は、前記回転連動部材の前記支軸を中心とした回転他端に上方に折曲して設けられた折曲支持部から構成され、前記回転連動部材は、前記押圧挟持部材のスライド移動に伴って、前記支軸を中心として前記折曲支持部を上昇させる方向又は下降させる方向に回転することで、前記押圧挟持部材のスライド移動を前記支持部材の進退移動に方向変換することを特徴とする。
【００１０】
また、請求項６の発明においては、請求項４記載の遊技機固定装置において、前記回転連動部材の前記支軸を中心とした回転他端には、前記支持部材に一体的に設けられた支持傾斜面と当接係合する連動傾斜面が設けられ、前記回転連動部材は、前記押圧挟持部材のスライド移動に伴って前記支軸を中心に回転して、前記連動傾斜面が前記支持傾斜面の押し上げ又はその押し上げ解除を行うことで、前記押圧挟持部材のスライド移動を前記支持部材の進退移動に方向変換することを特徴とする。
【００１１】
また、請求項７の発明においては、請求項１乃至請求項６のいずれかに記載の遊技機固定装置において、前記遊技機固定装置は、さらに、前記支持部材を常時、退行方向へ付勢する付勢手段を備えていることを特徴とする。
【発明の効果】
【００１２】
請求項１の発明においては、遊技機（外枠）を設置空間内に設置する場合、先ず、外枠の下辺前面又は上辺前面の支持を解除する退行位置に支持部材を移動させた状態で、外枠を設置空間に対して前方から水平方向（略水平方向）に挿入する。そして、外枠が設置空間内に配置されると、外枠の下辺裏面又は上辺裏面を前方へ押圧するように押圧挟持部材をスライド移動させる。これに伴い、連動手段が支持部材を外枠の下辺前面又は上辺前面を支持する進出位置に移動させて支持部材と押圧挟持部材との間で外枠を挟持固定する。これにより、一側端が回転自在に軸支された回動ブラケットに外枠を装着したり、傾斜状態の外枠をその場で起立させて設置空間内に設置する必要がないので、広い設置空間を設けることなく設置空間内への遊技機の設置が可能になる。また、外枠を固定する操作としては、押圧挟持部材をスライド操作するだけで支持部材が自動的に進出位置に移動するので、片手でも簡単に外枠を固定することができ、遊技機の取り付け及び取り外しの作業性を高めることができる。
【００１３】
また、請求項２の発明においては、支持部材を上下方向に進退移動可能に設ける共に、押圧挟持部材の水平方向でのスライド移動を連動手段によって支持部材の上下方向への進退移動に方向変換して連動する。これにより、外枠の下辺前面又は上辺前面の支持を解除した退行位置では支持部材が下方又は上方に移動された状態にあり、支持部材と押圧挟持部材との間で外枠を挟持固定する際には、支持部材が上方又は下方の進出位置に移動されて外枠の下辺前面又は上辺前面を支持する構成にできる。
【００１４】
また、請求項３の発明においては、押圧挟持部材に一体的に設けられて当該押圧挟持部材と一体的にスライド移動すると共に、支持部材に一体的に設けられた第一の係合傾斜面と当接係合する第二の係合傾斜面を備えたスライド連動部材によって連動手段を構成する。そして、押圧挟持部材のスライド移動に伴って、第二の係合傾斜面が第一の係合傾斜面の押し込み又はその押し込み解除を行うことにより、押圧挟持部材のスライド移動を支持部材の進退移動に方向変換する構成を具現化することができる。
【００１５】
また、請求項４の発明においては、支軸を中心として回転可能に設けられると共に、支軸を中心とした回転一端に押圧挟持部材と係合する係合部を備えた回転連動部材によって連動手段を構成する。そして、押圧挟持部材のスライド移動に伴って、係合部が押圧挟持部材との係合又はその係合解除を行うことで、回転連動部材が支軸を中心に回転することにより、押圧挟持部材のスライド移動を支持部材の進退移動に連動する構成を具現化することができる。
【００１６】
また、請求項５の発明においては、回転連動部材の回転によって、押圧挟持部材のスライド移動を支持部材の進退移動に連動する構成において、回転連動部材の支軸を中心とした回転他端に上方に折曲して設けられた折曲支持部によって支持部材を構成する。そして、押圧挟持部材のスライド移動に伴って、支軸を中心として折曲支持部を上昇させる方向又は下降させる方向に回転連動部材が回転することにより、押圧挟持部材のスライド移動を支持部材の進退移動に方向変換する構成を具現化することができる。
【００１７】
また、請求項６の発明においては、回転連動部材の回転によって、押圧挟持部材のスライド移動を支持部材の進退移動に連動する構成において、支持部材に一体的に設けられた支持傾斜面と当接係合する連動傾斜面を回転連動部材の支軸を中心とした回転他端に設ける。そして、押圧挟持部材のスライド移動に伴って、回転連動部材が支軸を中心に回転して連動傾斜面が支持傾斜面の押し上げ又はその押し上げ解除を行うことにより、押圧挟持部材のスライド移動を支持部材の進退移動に方向変換する構成を具現化することができる。
【００１８】
また、請求項７の発明においては、支持部材を常時退行方向へ付勢する付勢手段を備えることで、外枠を設置空間に対して前方から水平方向に挿入する際、支持部材を確実に退行位置に移動させておくことができる。このため、遊技機を設置空間に設置する作業において、支持部材が外枠と干渉しないように進出位置にある支持部材を退行位置に移動させるという煩わしい操作を解消することができる。
【図面の簡単な説明】
【００１９】
【図１】遊技島台の内部構造の一部と玉貸機、外枠、及び間仕切りを示す斜視図である。
【図２】遊技島台の内部構造の一部と玉貸機、外枠、及び間仕切りを示す部分拡大斜視図である。
【図３】下側遊技機固定装置を示す斜視図である。
【図４】下側遊技機固定装置を示す一部破断斜視図である。
【図５】下部島枠に取り付けられた下側遊技機固定装置と外枠を示す側面図である。
【図６】下部島枠に取り付けられた下側遊技機固定装置と外枠を示す側面図である。
【図７】下側遊技機固定装置を構成するクランプ部材及びスライド押込板を示す縦断面図である。
【図８】同図（Ａ）は下側遊技機固定装置を示す側面図であり、同図（Ｂ）は下側遊技機固定装置を示す平面図である。
【図９】同図（Ａ）は下側遊技機固定装置を示す側面図であり、同図（Ｂ）は下側遊技機固定装置を示す平面図である。
【図１０】上側遊技機固定装置を示す分解斜視図である。
【図１１】上部島枠に取り付けられた上側遊技機固定装置と外枠を示す斜視図である。
【図１２】上部島枠に取り付けられた上側遊技機固定装置と外枠を示す斜視図である。
【図１３】上部島枠に取り付けられた上側遊技機固定装置と外枠を示す斜視図である。
【図１４】上部島枠に取り付けられた上側遊技機固定装置と外枠を示す斜視図である。
【図１５】下部島枠に取り付けられた第二実施形態の下側遊技機固定装置と外枠を示す側面図である。
【図１６】下部島枠に取り付けられた第二実施形態の下側遊技機固定装置と外枠を示す側面図である。
【図１７】第二実施形態の下側遊技機固定装置と外枠を示す斜視図である。
【図１８】第二実施形態の下側遊技機固定装置と外枠を示す斜視図である。
【図１９】下部島枠に取り付けられた第三実施形態の下側遊技機固定装置と外枠を示す側面図である。
【図２０】下部島枠に取り付けられた第三実施形態の下側遊技機固定装置と外枠を示す側面図である。
【図２１】第三実施形態の下側遊技機固定装置と外枠を示す斜視図である。
【図２２】第三実施形態の下側遊技機固定装置と外枠を示す斜視図である。
【図２３】同図（Ａ）は第四実施形態の下側遊技機固定装置を示す側面図であり、同図（Ｂ）は第四実施形態の下側遊技機固定装置を示す平面図である。
【図２４】同図（Ａ）は第四実施形態の下側遊技機固定装置を示す側面図であり、同図（Ｂ）は第四実施形態の下側遊技機固定装置を示す平面図である。
【発明を実施するための形態】
【００２０】
以下、図面を参照して本発明の実施形態について説明する。先ず、図１及び図２を参照して、本実施形態に係る遊技島台１の概略構成について説明する。図１は、遊技島台１の内部構造の一部と玉貸機２、外枠９、及び間仕切り８を示す斜視図である。図２は、遊技島台１の内部構造の一部と玉貸機２、外枠９、及び間仕切り８を示す部分拡大斜視図である。
【００２１】
図１及び図２に示すように、遊技島台１には、複数の遊技機（図示しない）を取り付けるための上部島枠４と、下部島枠５と、がそれぞれ遊技機の高さ寸法とほぼ同一の間隔をあけて当該遊技島台１の長手方向に沿って掛け渡されている。下部島枠５の前端側は、遊技者が玉箱などを載置するためのいわゆるカウンター板６として突設されている。上部島枠４は、遊技機の上方に配置される図示しない補給樋などを覆い隠すための幕板３が取り付けられる固定枠のうちの下側の枠としての機能を兼ね備えている。下部島枠５の下方には、遊技島台１で循環使用されるパチンコ玉を貯留するための図示しない貯留タンクなどを覆い隠すための腰板１４が取り付けられる。
【００２２】
上部島枠４と下部島枠５との間には、複数の遊技機間で所定の間隔を設けるための複数の間仕切り８が、遊技機の横幅寸法に当該遊技機に隣接されてパチンコ玉の貸し出しを制御する玉貸機２の横幅寸法を加えた値とほぼ同一の間隔をあけて取り付けられている。そして、上部島枠４、下部島枠５、及び隣接する２本の間仕切り８によって区画された空間が１台の遊技機を設置するための設置空間１０として構成されている。なお、図１及び図２中には、木製材料から形成されて遊技機内枠（図示しない本体枠や遊技盤から構成される部材）の外周部分を覆う矩形状の外枠９と、該外枠９の下辺前端に取り付けられる装飾カバー板１１と、外枠９の一側上下に取り付けられて本体枠を外枠９に対して開閉自在に軸支する金属製の上下の各開閉軸１２，１３と、遊技機（外枠９）に隣接して設けられる玉貸機２と、が設置空間１０に取り付けられた状態を図示している。また、遊技機は、装飾カバー板１１及び開閉軸１２，１３が取り付けられた外枠９と、該外枠９内に取り付けられる遊技機内枠とから構成されるものである。
【００２３】
また、設置空間１０を区画形成する下部島枠５には、遊技機を当該設置空間１０内に固定するための下側遊技機固定装置２０（遊技機固定装置）が左右２箇所に取り付けられている。一方、設置空間１０を区画形成する上部島枠４には、傾斜角度（ねかせ角度）を調整可能に遊技機を当該設置空間１０内に固定するための上側遊技機固定装置４０（遊技機固定装置）が左右２箇所に取り付けられている（図１１乃至図１４参照）。なお、下側遊技機固定装置２０は、下部島枠５の上面に固定された複数の支承板７間に形成される取付凹部７ａ内に後述する取付筐体２１が内嵌状態で固定（例えば、ビス止め等）されることにより下部島枠５の上面に取り付けられ、上側遊技機固定装置４０は、上部島枠４の下面に固定された当接板１５の側方位置において後述するスライドベース板５０が固定（例えば、ビス止め等）されることにより上部島枠４の下面に取り付けられる。
【００２４】
次に、下側遊技機固定装置２０の構成について、図３乃至図９を参照して説明する。図３は、下側遊技機固定装置２０を示す斜視図である。図４は、下側遊技機固定装置２０を示す一部破断斜視図である。図５及び図６は、それぞれ下部島枠５に取り付けられた下側遊技機固定装置２０と外枠９を示す側面図である。図７は、下側遊技機固定装置２０を構成するクランプ部材２３及びスライド押込板２４を示す縦断面図である。図８（Ａ）は、下側遊技機固定装置２０を示す側面図である。図８（Ｂ）は、下側遊技機固定装置２０を示す平面図である。図９（Ａ）は、下側遊技機固定装置２０を示す側面図である。図９（Ｂ）は、下側遊技機固定装置２０を示す平面図である。
【００２５】
図３乃至図６に示すように、下側遊技機固定装置２０は、下部島枠５上に取り付け固定（例えば、ビス止め等）される横長立方体形状の取付筐体２１と、該取付筐体２１の長手方向における一端側の上面２１ａに固定されるベース板２２と、該ベース板２２の上面に取り付けられるクランプ部材２３と、ベース板２２にスライド移動可能に取り付けられて外枠９の下辺後端を押し込む押圧挟持部材としてのスライド押込板２４と、を備えている。クランプ部材２３は、図７に示すように、ベース板２２上に支軸２５を中心として回動自在に取り付けられた連結部材２６を介してベース板２２の上面に取り付けられるようになっており、支軸２５によって取り付けられた連結部材２６の一端部とは反対側となる連結部材２６の他端部に支軸２７を中心として回動自在にクランプ部材２３が取り付けられる。
【００２６】
なお、支軸２７を介してクランプ部材２３を取り付ける連結部材２６の軸取付穴（図示しない）は、連結部材２６の長手方向に沿った長穴形状に形成されている。これにより、クランプ部材２３は、連結部材２６に形成された軸取付穴の穿設方向（連結部材２６の長手方向）に沿ってスライド移動可能となっており、このようなスライド移動を規制すべくクランプ部材２３と連結部材２６との間には、クランプ部材２３を常時、連結部材２６の他端方向（図７に示す左方向）に付勢するスライド規制バネ２８が設けられている。また、支軸２７が設けられたクランプ部材２３の一端部とは反対側となるクランプ部材２３の他端部には、後述するスライド押込板２４の係止穴３１ａと係合する係合爪２９が形成されており、支軸２７が設けられたクランプ部材２３の一端部は、係合爪２９を係止穴３１ａに係合させた状態でベース板２２に対するスライド押込板２４のスライド移動を保持する、言い換えればベース板２２に対してスライド押込板２４をクランプするクランプ操作部３０として形成されている。
【００２７】
スライド押込板２４は、長板形状の金属板からなると共に、ベース板２２に設けられた挿通穴２２ａを挿通して取り付けられることで、クランプ部材２３及び連結部材２６の長手方向に沿ってスライド移動可能に設けられている。スライド押込板２４の一端部は、断面Ｌ字状に折曲されて外枠９の下辺後端を押し込む押込部２４ａとして形成されている。一方、スライド押込板２４の他端部には、クランプ部材２３の係合爪２９と係合する係止穴３１ａを形成した係止片３１が一体的に設けられている。
【００２８】
また、取付筐体２１の内部には、図８及び図９に示すように、スライド押込板２４の先端側（押込部２４ａ側）にビス３２で固定される長板形状のスライド連動部材３３（連動手段）と、該スライド連動部材３３の一端側（スライド押込板２４とのビス３２止め側）と取付筐体２１の長手方向における一端内壁（ベース板２２が固定される側の内壁）との間に介装されてスライド連動部材３３を常時一方向（図５及び図６に示す右方向であり、以下この方向を退行方向といい、その反対方向を進出方向という）へ付勢する付勢バネ３４と、取付筐体２１の長手方向における他端内壁に上下方向へのスライド移動が可能に取り付けられるスライド支持部材３５（支持部材）と、該スライド支持部材３５を常時下方へ付勢するように取付筐体２１の上面２１ａの内壁に取り付けられる板バネ３６（付勢手段）と、が設けられている。
【００２９】
スライド連動部材３３の他端は、断面「レ」の字状に折曲されてスライド支持部材３５と係合する係合傾斜面３３ａ（第二の係合傾斜面）として形成されている。スライド支持部材３５は、断面「レ」の字状に形成され、垂直方向に伸びる壁面部分が外枠９の下辺前端に取り付けられた装飾カバー板１１の前面を支持する外枠支持面３５ａを構成する一方、該外枠支持面３５ａの下端部分から傾斜状に折曲された壁面部分がスライド連動部材３３の係合傾斜面３３ａと係合する係合傾斜面３５ｂ（第一の係合傾斜面）を構成している。なお、取付筐体２１の長手方向における他端内壁には、外枠支持面３５ａの両側端を個々に支持することでスライド支持部材３５（外枠支持面３５ａ）を上下方向にスライド移動可能に取り付ける左右一対のスライド取付部２１ｂが形成されている。また、取付筐体２１の長手方向における他端側の上面２１ａには、上方にスライド移動した外枠支持面３５ａを取付筐体２１の上面２１ａから突出させるための挿通穴２１ｃが穿設されている。
【００３０】
しかして、以上説明した下側遊技機固定装置２０によって外枠９の下側部分を設置空間１０内に固定する場合、先ず、外枠９を設置空間１０の前方から挿し入れる（図１参照）。このとき、クランプ部材２３によるスライド押込板２４のクランプは解除された状態にある。言い換えれば、クランプ部材２３の係合爪２９とスライド押込板２４側の係止穴３１ａとの係合は解除され、スライド押込板２４及び該スライド押込板２４と一体的に連結されたスライド連動部材３３は、それぞれ付勢バネ３４の付勢力によって退行方向にスライド移動した状態にある。このため、スライド連動部材３３の係合傾斜面３３ａとスライド支持部材３５の係合傾斜面３５ｂとの係合も解除された状態（図６及び図８に示す状態）となり、スライド支持部材３５は、板バネ３６の付勢力によって下方にスライド移動して取付筐体２１の上面２１ａ（挿通穴２１ｃ）から突出しない状態にある。即ち、スライド支持部材３５の外枠支持面３５ａは、外枠９を設置する設置空間１０の前方以外であって外枠９の設置空間１０内への挿入を阻害しない位置にスライド移動されている。
【００３１】
その後、設置空間１０内への外枠９の挿入が完了すると、外枠９の裏面側に配置されたスライド押込板２４を付勢バネ３４の付勢力に抗して進出方向にスライド移動させ、押込部２４ａが外枠９の下辺裏面と当接するようにする。また、このとき、スライド押込板２４と連結されたスライド連動部材３３も同様に進出方向にスライド移動する。このため、スライド連動部材３３の係合傾斜面３３ａがスライド支持部材３５の係合傾斜面３５ｂと係合した状態（図５及び図９に示す状態）となり、スライド支持部材３５は、板バネ３６の付勢力に抗して上方にスライド移動して取付筐体２１の上面２１ａ（挿通穴２１ｃ）から突出した状態となる。即ち、スライド支持部材３５の外枠支持面３５ａは、外枠９を設置する設置空間１０の前方であって外枠９に設けられた装飾カバー板１１の前面と当接する位置にスライド移動される。そして、この状態で、クランプ部材２３の係合爪２９をスライド押込板２４の係止穴３１ａに係合させてクランプ操作部３０を押圧操作することで、外枠９の下辺裏面を押圧する方向にスライド規制バネ２８の弾性力で付勢しながらスライド押込板２４をクランプする。これにより、スライド支持部材３５の外枠支持面３５ａとスライド押込板２４の押込部２４ａとの間で外枠９の下辺を挟持固定する。
【００３２】
次に、上側遊技機固定装置４０の構成について、図１０乃至図１４を参照して説明する。図１０は、上側遊技機固定装置４０を示す分解斜視図である。図１１乃至図１４は、それぞれ上部島枠４に取り付けられた上側遊技機固定装置４０と外枠９を示す斜視図である。なお、上側遊技機固定装置４０は、基本的に前述した下側遊技機固定装置２０に対して付加的な構成部材を組み合わせることで構成されている。このため、付加的な構成部材以外については、その詳細な説明を省略する。また、図１０を参照した以下の説明では、上側遊技機固定装置４０を構成するベース板４２の上方に、上側遊技機固定装置４０を構成するクランプ部材４３が配された状態で説明を行うものであるが、実際に上側遊技機固定装置４０を上部島枠４に取り付ける際には、ベース板４２の下方にクランプ部材４３が配された状態で上側遊技機固定装置４０の取り付けが行われるものである（図１１乃至図１４参照）。
【００３３】
図１０に示すように、上側遊技機固定装置４０は、下側遊技機固定装置２０と同様に、横長立方体形状の取付筐体４１と、該取付筐体４１の長手方向における一端側上面に固定されるベース板４２と、該ベース板４２の上面に取り付けられるクランプ部材４３と、ベース板４２にスライド移動可能に取り付けられて外枠９の上辺後端を押し込むスライド押込板４４と、を備え、取付筐体４１の内部には、スライド押込板４４の先端側（押込部４４ａ側）にビス止めされたスライド連動部材４５と、該スライド連動部材４５と取付筐体４１の一端内壁との間に介装されてスライド連動部材４５を常時退行方向へ付勢する付勢バネ（図示しない）と、取付筐体４１の他端内壁に上下方向へのスライド移動が可能に取り付けられるスライド支持部材４６（図１３参照）と、該スライド支持部材４６を常時下方へ付勢するように取付筐体４１の上面内壁に取り付けられる板バネ（図示しない）と、が設けられている。
【００３４】
なお、上側遊技機固定装置４０を構成する取付筐体４１は、下側遊技機固定装置２０の取付筐体２１とは異なり、長手方向における一端側（ベース板４２が固定される側）の壁面に、後述する雄ネジ部５３ａの先端側を螺合するネジ穴４１ａが穿設されており、また、短手方向における両端の下辺部分には、後述するスライド係合凹部５１と係合する係合凸部４１ｂが条設されている。
【００３５】
また、上側遊技機固定装置４０は、付加的な構成部材として、取付筐体４１をスライド移動可能に取り付けた状態で上部島枠４の下面に取り付け固定（例えば、ビス止め等）されるスライドベース板５０を備えている。スライドベース板５０は、長方形状の金属板からなり、その短手方向の両端には、それぞれ取付筐体４１の係合凸部４１ｂと係合して取付筐体４１をスライド移動可能に取り付けるためのスライド係合凹部５１が折曲形成されている。また、スライドベース板５０の長手方向の一端には、回転取付部５２ａを穿設した取付フランジ５２が立設されており、該取付フランジ５２の回転取付部５２ａには、スライドベース板５０に対して取付筐体４１をスライド操作するためのスライド移動軸５３の後端側が回転自在に取り付けられている。スライド移動軸５３は、取付筐体４１のネジ穴４１ａと螺合する雄ネジ部５３ａが形成されたボルトから構成され、その後端部分には、当該スライド移動軸５３を回転操作するための操作部５３ｂが設けられている。
【００３６】
次に、以上説明した上側遊技機固定装置４０によって遊技機（外枠９）を設置空間１０内で傾斜角度の調整を可能に固定する手順について説明する。なお、上側遊技機固定装置４０による外枠９の固定作業は、遊技機の傾斜角度の調整を考慮すれば、前述した下側遊技機固定装置２０による外枠９の固定作業が完了した後に行われることが望ましく、以下の説明では、設置空間１０内への外枠９の挿入が完了していることを前提として説明を行う。
【００３７】
先ず、設置空間１０内への外枠９の挿入が完了した状態（図１１及び図１２に示す状態）で、外枠９の裏面側に配置されたスライド押込板４４を付勢バネの付勢力に抗して進出方向にスライド移動させ、押込部４４ａが外枠９の上辺裏面と当接するようにする。また、このとき、スライド押込板４４と連結されたスライド連動部材４５も同様に進出方向にスライド移動する。このため、スライド連動部材４５の係合傾斜面（図示しない）がスライド支持部材４６の係合傾斜面（図示しない）と係合した状態となり、スライド支持部材４６は、板バネの付勢力に抗して下方にスライド移動して取付筐体４１から突出した状態（図１３及び図１４に示す状態）となる。即ち、スライド支持部材４６は、外枠９を設置する設置空間１０の前方であって外枠９の上辺前面と当接する位置にスライド移動される。そして、この状態から、クランプ部材４３によってスライド押込板４４をクランプする。これにより、スライド支持部材４６とスライド押込板４４の押込部４４ａとの間で外枠９の上辺を挟持固定する。
【００３８】
その後、上記したようにスライド支持部材４６とスライド押込板４４の押込部４４ａとの間で外枠９の上辺部分を固定した状態から、スライドベース板５０に設けたスライド移動軸５３の操作部５３ｂを回転操作することによって、取付筐体４１に穿設されたネジ穴４１ａに対して雄ネジ部５３ａを捻じ込み又は捻じ込み解除する。これにより、スライドベース板５０に対して取付筐体４１が前後方向にスライド移動するので、スライド支持部材４６とスライド押込板４４の押込部４４ａとの間で挟持固定された遊技機（外枠９）は、前述したように下側部分が下側遊技機固定装置２０によって固定された状態で、上側部分が上側遊技機固定装置４０によって前後方向にスライド移動することになり、これによって、前後方向への傾斜角度（ねかせ角度）が調整されるようになっている。
【００３９】
なお、下側遊技機固定装置の構成については、以上説明した実施形態（第一実施形態）に限定するものではない。以下、下側遊技機固定装置の他の実施形態について説明する。なお、以下に説明する他の実施形態の下側遊技機固定装置は、取付筐体内に設けられる構成部材、即ち、外枠９の下辺前面（装飾カバー体１１）を支持する構成部材以外は、第一実施形態の下側遊技機固定装置２０と同一の構成であるため、同一の構成部材については、下側遊技機固定装置２０と同一の符号を付記すると共にその詳細な説明を省略する。
【００４０】
先ず、第二実施形態の下側遊技機固定装置６０について、図１５乃至図１８を参照して説明する。図１５及び図１６は、それぞれ下部島枠５に取り付けられた第二実施形態の下側遊技機固定装置６０と外枠９を示す側面図である。図１７及び図１８は、それぞれ第二実施形態の下側遊技機固定装置６０と外枠９を示す斜視図である。
【００４１】
図１５及び図１６に示すように、第二実施形態の下側遊技機固定装置６０（遊技機固定装置）は、下側遊技機固定装置２０と同様に、取付筐体２１、ベース板２２、クランプ部材２３、及びスライド押込板２４を備えており、取付筐体２１の内部には、回転連動部材６１が支軸６２を中心に回転可能に取り付けられている。支軸６２を中心とした回転連動部材６１の回転一端側（後端側）は、下方に湾曲して形成されてスライド押込板２４の押込部２４ａと係合する係合部６３を構成している。一方、支軸６２を中心とした回転連動部材６１の回転他端側（先端側）は、上方に直角に折曲されて外枠９の下辺前面（装飾カバー体１１）と当接する折曲支持部６４を構成している。また、取付筐体２１内には、回転連動部材６１の先端側（折曲支持部６４側）の下面と取付筐体２１の底壁内面との間に介装されて回転連動部材６１を常時、支軸６２を中心とした一回転方向（折曲支持部６４を下げる回転方向）に付勢する付勢バネ６５（付勢手段）が設けられている。
【００４２】
しかして、下側遊技機固定装置６０によって外枠９を固定する際には、図１７に示す状態から、押込部２４ａが外枠９の下辺裏面と当接する位置までスライド押込板２４をスライド移動させ、この状態で、クランプ部材２３の係合爪２９（図１５乃至図１８中には、図示しない）をスライド押込板２４の係止穴３１ａ（図１７参照）に係合させてクランプ部材２３のクランプ操作部３０を押圧操作することで、外枠９の下辺裏面を押圧する方向にスライド規制バネ３６（図１５乃至図１８中には、図示しない）の弾性力で付勢しながらスライド押込板２４をクランプする。このとき、回転連動部材６１は、係合部６３が前方にスライド移動されるスライド押込板２４の押込部２４ａと係合することで、折曲支持部６４が支軸６２を中心として上昇する方向に回転して外枠９の下辺前面（装飾カバー体１１）と当接する。これにより、図１８に示すように、回転連動部材６１の折曲支持部６４とスライド押込板２４の押込部２４ａとの間で外枠９の下辺を挟持固定する。
【００４３】
次に、第三実施形態の下側遊技機固定装置７０について、図１９乃至図２２を参照して説明する。図１９及び図２０は、それぞれ下部島枠５に取り付けられた第三実施形態の下側遊技機固定装置７０と外枠９を示す側面図である。図２１及び図２２は、それぞれ第三実施形態の下側遊技機固定装置７０と外枠９を示す斜視図である。
【００４４】
図１９及び図２０に示すように、第三実施形態の下側遊技機固定装置７０（遊技機固定装置）は、下側遊技機固定装置２０と同様に、取付筐体２１、ベース板２２、クランプ部材２３、及びスライド押込板２４を備えており、取付筐体２１の内部には、回転連動部材７１が支軸７２を中心に回転可能に取り付けられている。支軸７２を中心とした回転連動部材７１の回転一端側（後端側）には、スライド押込板２４の押込部２４ａと係合する山形形状の山形係合部７３が設けられている。一方、支軸７２を中心とした回転連動部材７１の回転他端側（先端側）にも同様に、山形形状の山形係合部７４（連動傾斜面）が設けられている。回転連動部材７１の先端側（山形係合部７４側）の下面と取付筐体２１の底壁内面との間には、支軸７２を中心として回転連動部材７１を常時、一回転方向（山形係合部７４を下げる回転方向）に付勢する付勢バネ７５（付勢手段）が介装されている。また、取付筐体２１の長手方向における一端側（山形係合部７４側）の内壁には、スライド支持部材７６が上下方向へのスライド移動が可能に左右一対のスライド取付部２１ｂを介して取り付けられている。スライド支持部材７６は、断面「レ」の字状に形成され、垂直方向に伸びる壁面部分が外枠９の下辺前端に取り付けられた装飾カバー板１１の前面を支持する外枠支持面７６ａを構成する一方、該外枠支持面７６ａの下端部分から傾斜状に折曲された壁面部分が回転連動部材７１の山形係合部７４と係合する係合傾斜面７６ｂ（支持傾斜面）を構成している。
【００４５】
しかして、下側遊技機固定装置７０によって外枠９を固定する際には、図２１に示す状態から、押込部２４ａが外枠９の下辺裏面と当接する位置までスライド押込板２４をスライド移動させ、この状態で、クランプ部材２３の係合爪２９（図１９乃至図２２中には、図示しない）をスライド押込板２４の係止穴３１ａ（図２１参照）に係合させてクランプ部材２３のクランプ操作部３０を押圧操作することで、外枠９の下辺裏面を押圧する方向にスライド規制バネ３７（図１９乃至図２２中には、図示しない）の弾性力で付勢しながらスライド押込板２４をクランプする。このとき、回転連動部材７１は、山形係合部７３が前方にスライド移動されるスライド押込板２４の押込部２４ａと係合することで、山形係合部７４が支軸７２を中心として上昇する方向に回転する。これにより、図２２に示すように、回転連動部材７１の山形係合部７４がスライド支持部材７６の係合傾斜面７６ｂと係合した状態となり、スライド支持部材７６は、上方にスライド移動して取付筐体２１の上面から突出した状態となる。即ち、スライド支持部材７６の外枠支持面７６ａは、外枠９を設置する設置空間１０の前方であって外枠９に設けられた装飾カバー板１１の前面と当接する位置にスライド移動され、スライド支持部材７６の外枠支持面７６ａとスライド押込板２４の押込部２４ａとの間で外枠９の下辺を挟持固定する。
【００４６】
次に、第四実施形態の下側遊技機固定装置８０について、図２３及び図２４を参照して説明する。図２３（Ａ）は、第四実施形態の下側遊技機固定装置８０を示す側面図である。図２３（Ｂ）は、第四実施形態の下側遊技機固定装置８０を示す平面図である。図２４（Ａ）は、第四実施形態の下側遊技機固定装置８０を示す側面図である。図２４（Ｂ）は、第四実施形態の下側遊技機固定装置８０を示す平面図である。
【００４７】
図２３及び図２４に示すように、第四実施形態の下側遊技機固定装置８０は、下側遊技機固定装置２０と同様に、取付筐体２１、ベース板２２、クランプ部材２３、及びスライド押込板２４を備えており、取付筐体２１の内部には、スライド押込板２４の先端側（押込部２４ａ側）にビス８２で固定される長板形状の連動スライド棒８１と、該連動スライド棒８１の一端側（スライド押込板２４とのビス８２止め側）と取付筐体２１の長手方向における一端内壁（ベース板２２が固定される側の内壁）との間に介装されて連動スライド棒８１を常時、退行方向へ付勢する付勢バネ８３と、取付筐体２１の長手方向における他端内壁に上下方向へのスライド移動が可能に取り付けられるスライド支持部材８４と、支軸８６を中心として回転可能に取り付けられてスライド支持部材８４と連動スライド棒８１の他端とを連結する扇形状の回転連結部材８５と、が設けられている。
【００４８】
スライド支持部材８４は、垂直方向に伸びる壁面から形成されて外枠９の下辺前端に取り付けられた装飾カバー板１１の前面を支持する外枠支持面８４ａと、該外枠支持面８４ａの裏面部分に一体的に設けられた連結突起８４ｂと、を備えている。回転連結部材８５は、扇形状の要となる部分が支軸８６によって軸支され、その外周側の一端部分が連結軸８７によって連動スライド棒８１の他端と連結される一方、外周側の他端部分が連結軸８８によってスライド支持部材８４の連結突起８４ｂと連結されている。
【００４９】
しかして、下側遊技機固定装置８０によって外枠９を固定する際には、図２３に示す状態から、押込部２４ａが外枠９の下辺裏面と当接する位置までスライド押込板２４をスライド移動させ、この状態で、クランプ部材２３の係合爪２９をスライド押込板２４の係止穴３１ａに係合させてクランプ部材２３のクランプ操作部３０を押圧操作することで、外枠９の下辺裏面を押圧する方向にスライド規制バネ３８（図２３及び図２４中には、図示しない）の弾性力で付勢しながらスライド押込板２４をクランプする。このとき、スライド押込板２４と連結された連動スライド棒８４も同様に進出方向にスライド移動する。このため、連動スライド棒８１のスライド移動が連結軸８７を介して回転連結部材８５に伝達され、回転連結部材８５が支軸８６を中心として連結軸８８を押し上げる方向に回転する。これにより、図２４に示すように、スライド支持部材８４は、上方にスライド移動して取付筐体２１の上面から突出した状態となる。即ち、スライド支持部材８４の外枠支持面８４ａは、外枠９を設置する設置空間１０の前方であって外枠９に設けられた装飾カバー板１１の前面と当接する位置にスライド移動され、スライド支持部材８４の外枠支持面８４ａとスライド押込板２４の押込部２４ａとの間で外枠９の下辺を挟持固定する。
【００５０】
以上のように、本実施形態の構成によれば、遊技機を設置空間１０内に設置する場合、先ず、外枠９の下辺前面の支持を解除する退行位置にスライド支持部材３５を移動させた状態で、外枠９を設置空間１０に対して前方から水平方向に挿入する。そして、外枠９が設置空間１０内に配置されると、外枠９の下辺裏面を前方へ押圧するようにスライド押込板２４をスライド移動させる。これに伴い、連動スライド板３３がスライド支持部材３５を外枠９の下辺前面を支持する進出位置に移動させてスライド支持部材３５とスライド押込板２４との間で外枠９を挟持固定する。これにより、一側端が回転自在に軸支された回動ブラケットに外枠９を装着したり、傾斜状態の外枠をその場で起立させて設置空間１０内に設置する必要がないので、広い設置空間１０を設けることなく設置空間１０内への遊技機の設置が可能になる。また、外枠９を固定する操作としては、スライド押込板２４をスライド操作するだけでスライド支持部材３５が自動的に進出位置に移動するので、片手でも簡単に外枠９を固定することができ、遊技機の取り付け及び取り外しの作業性を高めることができる。
【００５１】
また、スライド支持部材３５を上下方向に進退移動可能に設ける共に、スライド押込板２４の水平方向でのスライド移動を連動スライド板３３によってスライド支持部材３５の上下方向への進退移動に方向変換して連動する。これにより、外枠９の下辺前面の支持を解除した退行位置ではスライド支持部材３５が下方に移動された状態にあり、スライド支持部材３５とスライド押込板２４との間で外枠９を挟持固定する際には、スライド支持部材３５が上方の進出位置に移動されて外枠９の下辺前面を支持する構成にできる。
【００５２】
また、スライド支持部材３５を常時退行方向へ付勢する板バネ３６を備えることで、外枠９を設置空間１０に対して前方から水平方向に挿入する際、スライド支持部材３５を確実に退行位置に移動させておくことができる。このため、遊技機を設置空間１０に設置する作業において、スライド支持部材３５が外枠９と干渉しないように進出位置にあるスライド支持部材３５を退行位置に移動させるという煩わしい操作を解消することができる。
【符号の説明】
【００５３】
１  遊技島台
２  玉貸機
４  上部島枠
５  下部島枠
７  支承板
７ａ  取付凹部
８  間仕切り
９  外枠
１０  設置空間
２０  下側遊技機固定装置（遊技機固定装置）
２１  取付筐体
２１ａ  上面
２１ｂ  スライド取付部
２１ｃ  挿通穴
２２  ベース板
２３  クランプ部材
２４  スライド押込板（押圧挟持部材）
２４ａ  押込部
２６  連結部材
２８  スライド規制バネ
２９  係合爪
３０  クランプ操作部
３１  係止片
３１ａ  係止穴
３３  スライド連動部材（連動手段）
３３ａ  係合傾斜面（第二の係合傾斜面）
３４  付勢バネ
３５  スライド支持部材（支持部材）
３５ａ  外枠支持面
３５ｂ  係合傾斜面（第一の係合傾斜面）
３６  板バネ（付勢手段）
４０  上側遊技機固定装置（遊技機固定装置）
４４  スライド押込板（押圧挟持部材）
４５  スライド連動部材（連動手段）
４６  スライド支持部材（支持部材）
６０  下側遊技機固定装置（遊技機固定装置）
６１  回転連動部材
６２  支軸
６３  係合部
６４  折曲支持部
６５  付勢バネ（付勢手段）
７０  下側遊技機固定装置（遊技機固定装置）
７１  回転連動部材
７２  支軸
７３  山形係合部
７４  山形係合部（連動傾斜面）
７５  付勢バネ（付勢手段）
７６ｂ  係合傾斜面（支持傾斜面）
【図１】
2011218030.tif 000003
【図２】
2011218030.tif 000004
【図３】
2011218030.tif 000005
【図４】
2011218030.tif 000006
【図５】
2011218030.tif 000007
【図６】
2011218030.tif 000008
【図７】
2011218030.tif 000009
【図８】
2011218030.tif 000010
【図９】
2011218030.tif 000011
【図１０】
2011218030.tif 000012
【図１１】
2011218030.tif 000013
【図１２】
2011218030.tif 000014
【図１３】
2011218030.tif 000015
【図１４】
2011218030.tif 000016
【図１５】
2011218030.tif 000017
【図１６】
2011218030.tif 000018
【図１７】
2011218030.tif 000019
【図１８】
2011218030.tif 000020
【図１９】
2011218030.tif 000021
【図２０】
2011218030.tif 000022
【図２１】
2011218030.tif 000023
【図２２】
2011218030.tif 000024
【図２３】
2011218030.tif 000025
【図２４】
2011218030.tif 000026